(57)【要約】ＣＡＶまたはゾーンＣＡＶとされる。連続的にウォブルするグルーブが予め形成され、グルーブおよびグルーブに隣接するランドに情報を記録するようになされ、グルーブアドレス情報によって変調される第１のウォブル部分と、隣接する一方のランドのアドレス情報によって変調される第２のウォブル部分と、隣接する他方のランドのアドレス情報によって変調される第３のウォブル部分とをグルーブが有し、隣接する二つのグルーブの第２のウォブル部分によって挟まれる第１の区間と、隣接する二つのグルーブの第３のウォブル部分によって挟まれる第２の区間とがランド上に形成され、第１の区間の両側のウォブルの位相と、第２の区間の両側のウォブルの位相との一方が略同相である。
2013179745.tif 000002
【特許請求の範囲】
【請求項１】
ＣＡＶまたはゾーンＣＡＶの光情報記録媒体であって、
連続的にウォブルするグルーブが予め形成され、前記グルーブおよび前記グルーブに隣接するランドに情報を記録するようになされ、
グルーブアドレス情報によって変調される第１のウォブル部分と、隣接する一方のランドのアドレス情報によって変調される第２のウォブル部分と、隣接する他方のランドのアドレス情報によって変調される第３のウォブル部分とを前記グルーブが有し、
隣接する二つのグルーブの前記第２のウォブル部分によって挟まれる第１の区間と、隣接する二つのグルーブの前記第３のウォブル部分によって挟まれる第２の区間とがランド上に形成され、
前記第１の区間の両側のウォブルの位相と、前記第２の区間の両側のウォブルの位相との一方が略同相である光情報記録媒体。
【請求項２】
前記第１のウォブル部分と前記第２のウォブル部分と前記第３のウォブル部分とがトラック方向で異なる位置に形成される請求項１に記載の光情報記録媒体。
【請求項３】
ＣＡＶまたはゾーンＣＡＶの光情報記録媒体であって、
連続的にウォブルするグルーブが予め形成され、前記グルーブおよび前記グルーブに隣接するランドに情報を記録するようになされ、
グルーブアドレス情報によって変調される第１のウォブル部分と、隣接する一方のランドのアドレス情報によって変調される第２のウォブル部分と、隣接する他方のランドのアドレス情報によって変調される第３のウォブル部分とを前記グルーブが有し、
隣接する二つのグルーブの前記第２のウォブル部分によって挟まれる第１の区間と、隣接する二つのグルーブの前記第３のウォブル部分によって挟まれる第２の区間とがランド上に形成され、
前記第１の区間の両側のウォブルの位相と、前記第２の区間の両側のウォブルの位相との一方が略同相である光情報記録媒体を光学的に再生し、
ランドを走査する時に、前記ウォブルの位相が略同相である前記第１の区間および前記第２の区間の一方から前記ランドのアドレス情報を再生する光情報記録媒体再生装置。
【請求項４】
前記第１の区間で再生されるアドレス情報と前記第２の区間で再生されるアドレス情報との一方を有効と判定するための判別用信号が前記第２のウォブル部分および前記第３のウォブル部分にそれぞれ付加される請求項３に記載の光情報記録媒体再生装置。
【請求項５】
前記判別用信号は、基本波形に対してデータに応じて極性の異なる高調波信号を付加した波形の信号である請求項４に記載の光情報記録媒体再生装置。
【請求項６】
前記光情報記録媒体のトラック方向に対して少なくとも２分割され、前記光情報記録媒体からの戻り光を検出する検出器を有し、前記検出器のトラック方向に対する両側の受光部の出力によって前記第１のウォブル部分および前記第２のウォブル部分を再生する請求項３に記載の光情報記録媒体再生装置。
【請求項７】
前記アドレス情報によってＭＳＫ方式で基本波形が変調される請求項３に記載の光情報記録媒体再生装置。
【発明の詳細な説明】
【技術分野】
【０００１】
本開示は、例えば記録可能な光ディスクに適用される光情報記録媒体および光情報記録媒体再生装置に関する。
【背景技術】
【０００２】
従来、レ−ザ光を用いて情報を記録或いは記録情報を再生する光ディスクが実用化されている。光ディスクの種類としては、再生専用型、追記型および書き替え型がある。追記型および書き換え型では、情報の記録のために、予め光ディスクの位置を示すアドレス情報が記録されている必要がある。【０００３】
アドレス情報を記録する方法して、２種類のものが知られている。その一つは、アドレス情報をプリフォーマットピットとして記録する方式である。他の方式は、溝に対してウォブルと称される溝を形成する信号をアドレス情報によって変調する方式である。プリフォーマットピットを記録することは、ユーザデータの記録用エリアを減少させ、光ディスクの記録容量を減少させる問題がある。ウォブル方式は、そのような問題がない利点がある。なお、溝のことをグルーブと称し、グルーブにより形成されるトラックをグルーブトラックと称する。グルーブは、光ディスクを製造する時に、レーザ光によって照射される部分と定義され、隣接するグルーブ間に挟まれるエリアをランドと称し、ランドにより形成されるトラックをランドトラックと称する。【０００４】
アドレスをウォブルによって記録する場合、さらなる記録容量の増大のためには、グルーブトラックおよびランドトラックの両方にデータを記録する方法（ランド／グルーブ記録方式と適宜称する）が望ましい。ランド／グルーブ記録方式においては、グルーブトラックに対するアドレス情報は、カッティング時にレーザ光を偏向させることによって記録することができる。しかしながら、ランドトラックに対するアドレスをウォブルによって記録することが困難である。ランドトラックを走査した場合には、両側のグルーブトラックのウォブルが再生される。しかも、これらのウォブルは、異なるグルーブトラックの情報であり、ウォブルの位相が揃っておらず、正常に再生することが困難である。【０００５】
従来からランド／グルーブ記録方式において、グルーブトラックおよびランドトラックの両方のアドレスを再生することを可能とする光ディスクが提案されている。特許文献１に記載されているものは、グルーブトラックにアドレスをウォブルによって記録する場合に、間欠的にアドレスを記録し、且つ隣のグルーブトラックとの間でアドレスの記録位置の位相を反転させるものである。このようにすると、ウォブルトラックを再生する時に元々記録されているアドレス情報が間欠的に再生され、ランドトラックを再生すると、隣接する両側のグルーブトラックのアドレスが交互に再生されることになる。したがって、グルーブ走査時およびランド走査時の何れにおいてもウォブル情報（アドレス情報）を得ることができる。【０００６】
特許文献２および３に記載のものは、ランドトラックおよびグルーブトラックのそれぞれをウォブルさせ、各トラックの片方の側壁にアドレス情報をウォブルによって記録する。さらに、ウォブルトラックのアドレス情報ブロックとグルーブトラックのアドレス情報ブロックとをトラック方向にずらして配置するものである。
【先行技術文献】
【特許文献】
【０００７】
【特許文献１】特開平９−２１９０２４号公報
【特許文献２】特開２００３−１７８４６４号公報
【特許文献３】特開２００６−２２８２９３号公報
【発明の概要】
【発明が解決しようとする課題】
【０００８】
上述した特許文献１に記載のものは、ランドトラックのアドレスは、隣接する二つのグルーブトラックの内の一方のグルーブトラックのアドレスを再生している。したがって、オフトラックによってグルーブアドレスを読めなくなるおそれが高い。さらに、特許文献１に記載のものでは、グルーブトラックでウォブルが間欠的に存在する。ウォブルは、光ディスク上の位置と対応するクロックを生成するための基になる信号である。クロックは、記録および再生の両方で必要な信号である。したがって、特許文献１のように、グルーブトラックで、ウォブルが存在しない区間が間欠的に存在することは、精度良いクロックを生成する面で不利である。【０００９】
特許文献２および特許文献３に記載のものでは、ウォブルが途切れることがないので、クロック生成の面での問題がない。しかしながら、基本周波数のウォブルと別に補助情報を記録するために、片側の溝壁をウォブルさせる必要がある。このようなウォブルの形成は、カッティング時に単一のレーザ光によっては困難であり、カッティング装置が複雑となる問題がある。【００１０】
したがって、本開示は、グルーブトラックにおいてウォブルが途切れることがなく、また、単一ビームによってカッティングを行うことができる光情報記録媒体および光情報記録媒体再生装置の提供を目的とする。
【課題を解決するための手段】
【００１１】
上述の課題を解決するために、本開示は、ＣＡＶまたはゾーンＣＡＶの光情報記録媒体であって、
連続的にウォブルするグルーブが予め形成され、グルーブおよびグルーブに隣接するランドに情報を記録するようになされ、
グルーブアドレス情報によって変調される第１のウォブル部分と、隣接する一方のランドのアドレス情報によって変調される第２のウォブル部分と、隣接する他方のランドのアドレス情報によって変調される第３のウォブル部分とをグルーブが有し、
隣接する二つのグルーブの第２のウォブル部分によって挟まれる第１の区間と、隣接する二つのグルーブの第３のウォブル部分によって挟まれる第２の区間とがランド上に形成され、
第１の区間の両側のウォブルの位相と、第２の区間の両側のウォブルの位相との一方が略同相である光情報記録媒体である。【００１２】
本開示は、ＣＡＶまたはゾーンＣＡＶの光情報記録媒体であって、
連続的にウォブルするグルーブが予め形成され、グルーブおよびグルーブに隣接するランドに情報を記録するようになされ、
グルーブアドレス情報によって変調される第１のウォブル部分と、隣接する一方のランドのアドレス情報によって変調される第２のウォブル部分と、隣接する他方のランドのアドレス情報によって変調される第３のウォブル部分とをグルーブが有し、
隣接する二つのグルーブの第２のウォブル部分によって挟まれる第１の区間と、隣接する二つのグルーブの第３のウォブル部分によって挟まれる第２の区間とがランド上に形成され、
第１の区間の両側のウォブルの位相と、第２の区間の両側のウォブルの位相との一方が略同相である光情報記録媒体を光学的に再生し、
ランドを走査する時に、ウォブルの位相が略同相である第１の区間および第２の区間の一方からランドのアドレス情報を再生する光情報記録媒体再生装置である。
【発明の効果】
【００１３】
本開示によれば、グルーブおよびランドの両方に対する記録を行う場合に、グルーブの変調のみで、ランドのアドレスを記録することができる。ランドの走査時に再生される二つの情報の内の一方の情報が有効なランドアドレスとされる。有効性の判別のための信号が付加され、エラー訂正符号の結果とは別に有効なランドアドレス情報を得ることができる。
【図面の簡単な説明】
【００１４】
図１は、ＢＤフォーマットのアドレスデータの説明のための略線図である。
図２は、ＢＤフォーマットのＡＤＩＰユニットの説明のための略線図である。
図３は、ＢＤフォーマットのＡＤＩＰワードのデータ構造の説明のための略線図である。
図４は、ＭＳＫの説明のための波形図である。
図５Ａ〜Ｂは、ＳＴＷの説明のための波形図である。
図６Ａ〜Ｂは、ＳＴＷの説明のための波形図である。
図７は、本開示の第１の実施の形態の説明に使用するグルーブ／ランドのパターンを模式的に示す略線図である。
図８は、本開示の第２の実施の形態の説明に使用するＡＤＩＰユニットの種類を示す略線図である。
図９は、本開示の第２の実施の形態の説明に使用するグルーブ／ランドのパターンを模式的に示す略線図である。
図１０は、本開示の第２の実施の形態の再生装置を示すブロック図である。
図１１は、本開示の第２の実施の形態におけるアドレスの有効性の判定処理の第１の例を説明するためのフローチャートである。
図１２は、本開示の第２の実施の形態におけるアドレスの有効性の判定処理の第２の例を説明するためのフローチャートである。
図１３は、本開示の第２の実施の形態におけるアドレスの有効性の判定処理の第３の例を説明するためのフローチャートである。
【発明を実施するための形態】
【００１５】
以下に説明する実施の形態は、本開示の好適な具体例であり、技術的に好ましい種々の限定が付されている。しかしながら、本開示の範囲は、以下の説明において、特に本開示を限定する旨の記載がない限り、これらの実施の形態に限定されないものとする。
以下の説明は、下記の順序にしたがってなされる。
＜１．ＢＤフォーマット＞
＜２．第１の実施の形態＞
＜３．第２の実施の形態＞
＜４．変形例＞
【００１６】
＜１．ＢＤフォーマット＞
本開示では、アドレス情報のフォーマット等をＢＤ（Ｂｌｕ−ｒａｙ  Ｄｉｓｃ（登録商標））フォーマットに準じるものとしている。このことによって、実用化されている高密度光ディスクであるＢＤの技術の多くの部分を利用できる。したがって、本開示の説明に先立ってＢＤフォーマットにおけるアドレス情報について説明する。
【００１７】
図１に示すように、書き込まれるメインデータは、ＲＵＢ（Ｒｅｃｏｒｄｉｎｇ  Ｕｎｉｔ  Ｂｌｏｃｋ）の系列（ＲＵＢｎ＋０、ＲＵＢｎ＋１、ＲＵＢｎ＋２、ＲＵＢｎ＋３、・・・・）である。ＲＵＢは、メインデータ（記録再生データ）を記録する単位であり、所定の長さ例えば６４ｋバイトとされている。１ＲＵＢ毎に３個のＡＤＩＰ（Ａｄｄｒｅｓｓ  Ｉｎ  Ｐｒｅｇｒｏｏｖｅ）ワードＡＤＩＰ０、ＡＤＩＰ１、ＡＤＩＰ２が割り当てられている。ＡＤＩＰ０、ＡＤＩＰ１、ＡＤＩＰ２は、互いに同一のアドレス情報を有している。
【００１８】
さらに、一つのＡＤＩＰワードには、８３（ユニットナンバー０−８２）のＡＤＩＰユニットが含まれている。一つのＡＤＩＰワード中には、２４ビットのアドレス情報、１２ビットの補助データ、リファレンス領域、エラー訂正コード等が格納されている。これらの情報は、８３ＡＤＩＰユニット中の例えば６０ＡＤＩＰユニットを使用して表されている。
【００１９】
図２に示すように、合計５６個のウォブルのかたまりがＡＤＩＰユニットとされ、このＡＤＩＰユニットで”０”または”１”の１ビットあるいは同期情報あるいはリファレンスユニットあるいはモノトーンユニットが表現される。１ウォブルは、例えば基本ウォブル波形（ｃｏｓ（２πｆｔ））の１周期である。したがって、１ＡＤＩＰワードが（８３×５６）ウォブルからなる。図２には、ＡＤＩＰユニットの８種類（モノトーンユニット、リファレンスユニット、４種類の同期ユニット、並びにデータの”０”および”１”をそれぞれ表す２種類のデータユニット）が示されている。なお、図２では、スペース上の制約から３８個のウォブルのかたまりが示されている。
【００２０】
図２に示すように、５６ウォブルからなるＡＤＩＰユニットに対して０から５５のウォブル番号を付加して区別すると、例えばウォブル番号が０から２までの区間等は、ＭＳＫ（Ｍｉｎｉｍｕｍ  Ｓｈｉｆｔ  Ｋｅｙｉｎｇ）で変調され、リファレンスユニットとデータユニットのウォブル番号１８から５５までがＳＴＷ（Ｓａｗ  Ｔｏｏｔｈ  Ｗｏｂｂｌｅ）で変調される。変調されていないモノトーン・ウォブルは、所定周波数（ｃｏｓ（２πｆｔ））の基本波でウォブルする。
【００２１】
ＡＤＩＰワードは、図３に示すようなデータ構造を有する。図３におけるＡＤＩＰユニットタイプが図２におけるＡＤＩＰユニットの種類と対応している。一つのＡＤＩＰワードには、６０ビットのデータが含まれている。
【００２２】
ＭＳＫは、図４に示すように、３個のウォブルによって構成されている。前後のウォブルの周波数が基本波の１．５倍とされているので、中心のウォブルの波形がＭＳＫでない部分に対して極性が反転されている。各ＡＤＩＰユニットの先頭（０−２番目のウォブル）に対して配置され、ＡＤＩＰユニットの先頭位置を検出するために使用される。
【００２３】
さらに、図２に示すように、データ０のＡＤＩＰユニットの先頭から１４〜１６番目のウォブルの位置にＭＳＫが配置され、データ１のＡＤＩＰユニットの先頭から１２〜１４番目のウォブルの位置にＭＳＫが配置される。このように、ＭＳＫの位置によって、データの０と１とが表されている。
【００２４】
データ０のＡＤＩＰユニットにおいて、ＭＳＫが０とされると共に、先頭から１８〜５５番目のウォブルの区間に０を表すＳＴＷが配置される。データ１のＡＤＩＰユニットにおいて、ＭＳＫが１とされると共に、先頭から１８〜５５番目のウォブルの区間に１を表すＳＴＷが配置される。
【００２５】
ＳＴＷ方式は、基本波（ｃｏｓ（２πｆｔ））に対して２次高調波（ｓｉｎ（２π２ｆｔ））を加算または減算することによって、のこぎり歯に似た変調波形を生成するものである。２次高調波の振幅は、基本波形の１／４程度の小さなものとされている。データの”０”または”１”によって、加算および減算の一方が選択されるので、変調波形が異なったものとされる。リファレンスユニットとデータユニットのウォブル番号が１８〜５５の区間に繰り返して記録されている。
【００２６】
このように２種類の方式を使用するのは、各方式の短所を補うことを可能とするためである。ＭＳＫ方式では、ＡＤＩＰユニットの先頭の３個のウォブルを変調することによって１ビットが記録されるので、再生時のデータの位置を決める基準として使うことができる。一方、ＳＴＷ方式は、微小な波形変化として、広い範囲にわたって繰り返し記録されており、再生時には、再生信号を積分して”０”または”１”を判別している。したがって、再生信号をデータの区切りを検出するための情報として使用することが難しい。しかしながら、局所的な記録方式であるＭＳＫ方式は、ディスク上の傷、ゴミ等に起因する欠陥の影響を受けやすい。ＳＴＷ方式は、より長い期間にわたって記録されるので、欠陥の影響を受けにくい利点がある。
【００２７】
図５および図６を参照してＳＴＷ方式の変調ウォブル信号についてより詳細に説明する。図５および図６において、横軸が時間軸を示し、基本ウォブル波形の１周期（すなわち、１ウォブル）が図示され、縦軸が正規化された振幅を示す。図５Ａは、データｃ（ｎ）が”１”の場合の波形を示し、図６Ａは、データｃ（ｎ）が”０”の場合の波形を示す。
【００２８】
図５Ａおよび図６Ａにおいて、破線で示す波形が基本ウォブル波形Ｓ０（＝ｃｏｓ（２πｆｔ））である。ｃ（ｎ）＝”１”の場合では、基本ウォブル波形Ｓ０に対して２倍の周波数のｓｉｎ信号が加算されることによって変調された波形Ｓ１が形成される。すなわち、Ｓ１＝Ａｃｏｓ（２πｆｔ）＋ａｓｉｎ（２π２ｆｔ）である。Ａ＞ａの関係とされ、例えばＡ＝１、ａ＝０．２とされる。この変調ウォブル波形Ｓ１は、時間方向に対して立ち上がり（ディスクの径方向では、ディスクの外側方向）が基本ウォブル波形Ｓ０に比して緩やかで、立ち下がり（ディスクの径方向では、ディスクの内側方向）が基本ウォブル波形Ｓ０に比して急峻となるように変調された波形である。
【００２９】
図６Ａに示すように、ｃ（ｎ）＝”０”の場合では、基本ウォブル波形Ｓ０に対して２倍の周波数のｓｉｎ信号が減算されることによって変調された波形Ｓ２が形成される。すなわち、Ｓ２＝Ａｃｏｓ（２πｆｔ）−ａｓｉｎ（２π２ｆｔ）である。この変調ウォブル波形Ｓ２は、時間方向に対して立ち上がり（ディスクの外側方向）が基本ウォブル波形Ｓ０に比して急峻で、立ち下がり（ディスクの内側方向）が基本ウォブル波形Ｓ０に比して緩やかとなるように変調された波形である。変調ウォブル波形Ｓ１およびＳ２の何れも、ゼロクロス点が基本ウォブル波形と同一の位相となり、再生側におけるクロックを容易に抽出できるようになされている。
【００３０】
図５Ａおよび図６Ａにおいて、波形Ｓ３およびＳ４のそれぞれは、再生側の処理において使用される周波数が基本波の２倍の周波数のｓｉｎ信号（ｓｉｎ（２π２ｆｔ））を再生変調ウォブル信号に乗じたものを示す。すなわち、再生変調ウォブル波形Ｓ１×ｓｉｎ（２π２ｆｔ）によって波形Ｓ３が得られ、再生変調ウォブル波形Ｓ２×ｓｉｎ（２π２ｆｔ）によって波形Ｓ４が得られる。
【００３１】
再生側では、図５Ｂおよび図６Ｂにそれぞれ示すように、波形Ｓ３およびＳ４のそれぞれを１ウォブル周期にわたって積分（積算）することによって積分値ΣＳ３およびΣＳ４が得られる。１ウォブル周期を経過した時点の積分値ΣＳ３が正の値ｖ１となる。一方、１ウォブル周期を経過した時点の積分値ΣＳ４が負の値ｖ０となる。積分値は、例えばｖ１＝＋１、ｖ０＝−１と扱われる。
【００３２】
データの１ビットが５６ウォブルで表されるので、全て＋１であれば、５６ウォブルの積分結果として＋５６が得られ、全て−１であれば、５６ウォブルの積分結果として−５６が得られる。各ウォブルの積分値として求められた再生チップ系列に対して記録時に使用されたのと同一の符号系列が乗算され、その結果を５６ウォブル積分した結果に基づいてデータの１ビット（”１”／”０”）が判別される。
【００３３】
＜２．第１の実施の形態＞
「ＢＤフォーマットとの主たる相違点」
本開示の第１の実施の形態では、上述したＢＤフォーマットとの主たる相違点は、以下の通りである。
・ＢＤフォーマットでは、線速度一定（以下、ＣＬＶ（Ｃｏｎｓｔａｎｔ  Ｌｉｎｅａｒ  Ｖｅｌｏｃｉｔｙ）と称する）でディスクを回転させるのに対して、本開示では、角速度一定（以下、ＣＡＶ（Ｃｏｎｓｔａｎｔ  Ａｎｇｕｌａｒ  Ｖｅｌｏｃｉｔｙ：角速度一定）と称する）でディスクを回転させる。ディスクの半径方向を分割して複数のゾーンを形成し、ゾーン内では、ＣＡＶ制御を行うゾーンＣＡＶを採用しても良い。ＣＡＶまたはゾーンＣＡＶによって渦巻き状のウォブルトラックにおいて、ディスクの半径方向でウォブルの基本波の位相が互いに同期したものとできる。
【００３４】
・ＢＤフォーマットでは、グルーブに記録するグルーブ記録方式であるのに対して、本開示では、記録容量を増加させるために、グルーブおよびランドの両方に記録を行う。なお、上述したように、溝のことをグルーブと称し、グルーブにより形成されるトラックをグルーブトラックと称する。グルーブは、光ディスクを製造する時に、レーザ光によって照射される部分と定義され、隣接するグルーブ間に挟まれるエリアをランドと称し、ランドにより形成されるトラックをランドトラックと称する。
【００３５】
・ランドトラックに対してランドトラックアドレスを付与する。ＢＤフォーマットのように、所定の記録単位例えばＲＵＢ毎に３個のアドレスワードをグルーブトラックに記録する。３個のＡＤＩＰワードの中の一つは、当該グルーブトラックのアドレスであり、他の二つはランドトラックのアドレスである。二つのランドトラックのアドレスの一方は、ディスク径方向の内周側のランドトラックのアドレスであり、その他方は、ディスク径方向の外周側のランドトラックのアドレスである。各ランドトラックのアドレスは、隣接する両側のグルーブトラックに記録されている。すなわち、両側に隣接するグルーブトラックにそれぞれランドアドレスが記録される。
【００３６】
「アドレス情報の配置（記録）」
図７を参照して本開示の第１の実施の形態によるアドレス情報の配置について説明する。図７は、ディスク径方向に連続するグルーブトラック（Ｇｒｖ）およびランドトラック（Ｌｎｄ）を模式的に示している。一例として、図の上側がディスクの内側（中心側）であり、下側がディスクの外周側である。ディスクの内側から外側に向かってスパイラル状にグルーブが形成され、トラックアドレスが外側に向かって増加するようになされている。さらに、図に向かって左から右へビームスポット（記録／再生ビームスポット）が走査するものとする。
【００３７】
さらに、図７は、所定のデータ単位例えばＲＵＢ毎に規定される３個のＡＤＩＰワード（ＡＤＩＰ０、ＡＤＩＰ１、ＡＤＩＰ２）の一部を、隣接トラックのアドレス相違がわかりやすいように、ＡＤＩＰワードに含まれるデータユニットのＭＳＫ位置に注目して抜き出して示している。これらのＡＤＩＰワードは、トラック方向で異なる位置に形成される。各ＡＤＩＰワードは、ＢＤフォーマットと同様に、８３個のＡＤＩＰユニットによって構成され、各ＡＤＩＰユニットが５６ウォブルによって構成されている。そして、ＡＤＩＰワードのそれぞれにアドレス情報、エラー訂正コード等が含まれている。各ＡＤＩＰワードは、（５６×８３）ウォブルを含んでいる。図７中のウォブルトラックは、そのうちの一部例えば各ＡＤＩＰユニットの先頭部分のみを示す。図７では、一例として、グルーブトラックが偶数番目のトラック番号を有し、ランドトラックが奇数番目のトラック番号を有する。
【００３８】
図７において、グルーブトラックＴｒｋｎ、Ｔｒｋ（ｎ＋２）、Ｔｒｋ（ｎ＋４）・・・（ｎ＝０、１、２、・・・）が示される。両側のグルーブトラックによって挟まれるトラックＴｒｋ（ｎ＋１）、Ｔｒｋ（ｎ＋３）・・・がランドトラックである。各グルーブトラックの最初のワードＡＤＩＰ０として、グルーブトラックのアドレス情報（以下、グルーブアドレスと適宜称する）ｎ、ｎ＋２、ｎ＋４、・・・が記録される。次のワードＡＤＩＰ１としてランドトラックのアドレス情報（以下、ランドアドレスと適宜称する）ｎ＋１、ｎ＋５、・・・が記録される。三番目のワードＡＤＩＰ２としてランドアドレスｎ＋３、ｎ＋７、・・・が記録される。グルーブアドレスおよびランドアドレスは、例えばＭＳＫ方式によって記録される。
【００３９】
このように、各グルーブには、ランドアドレスが二重に記録される。例えばグルーブトラックＴｒｋｎの一方のアドレスワードＡＤＩＰ１として記録されるランドアドレスは、外側に隣接するランドトラックＴｒｋ（ｎ＋１）のアドレスである。グルーブトラックＴｒｋｎの他方のアドレスワードＡＤＩＰ２として記録されるランドアドレスは、内側に隣接するランドトラックのアドレスである。
【００４０】
さらに、グルーブトラックＴｒｋ（ｎ＋２）の一方のアドレスワードＡＤＩＰ１として記録されるランドアドレスは、内側に隣接するランドトラックＴｒｋ（ｎ＋１）のアドレスである。グルーブトラックＴｒｋ（ｎ＋２）の他方のアドレスワードＡＤＩＰ２として記録されるランドアドレスは、外側に隣接するランドトラックＴｒｋ（ｎ＋３）のアドレスである。
【００４１】
すなわち、ランドトラックＴｒｋ（ｎ＋１）のランドアドレスは、ＡＤＩＰワードＡＤＩＰ１の区間において、隣接する両側のグルーブトラックＴｒｋｎおよびグルーブトラックＴｒｋ（ｎ＋２）に記録されている。同一のアドレスデータが記録されているので、記録エリアの両側のウォブル位相が略同一となる。したがって、ランドトラックＴｒｋ（ｎ＋１）をビームスポットが走査した場合に、プッシュプル方式でもって、当該ランドトラックのランドアドレスを再生できる。
【００４２】
さらに、ランドトラックＴｒｋ（ｎ＋３）のランドアドレスは、ＡＤＩＰワードＡＤＩＰ２の区間において、隣接する両側のグルーブトラックＴｒｋ（ｎ＋２）およびグルーブトラックＴｒｋ（ｎ＋４）に記録されている。同一のアドレスデータが記録されているので、記録エリアの両側のウォブル位相がＭＳＫマーク位置まで含めて略同一となる。したがって、ランドトラックＴｒｋ（ｎ＋３）をビームスポットが走査した場合に、プッシュプル方式でもって、当該ランドトラックのランドアドレスを再生できる。
【００４３】
上述したように、各グルーブトラックには、自身のグルーブアドレスに加えて、両側に隣接する二つのランドアドレスが記録されている。したがって、ランドトラックを走査する場合に、同じアドレスが記録されているグルーブトラックの区間に挟まれているランドトラックの部分では、ウォブルの位相が同じように変化し、ウォブルからランドアドレスを取得することができる。
【００４４】
本開示の第１の実施の形態では、ＲＵＢ単位でＡＤＩＰワードを三重に記録するＢＤフォーマットと同様の方式でもって、グルーブアドレスおよびランドアドレスを記録することができる。例えばＭＳＫ方式でもって変調されるウォブルトラックとしてこれらのアドレスを記録することができる。さらに、グルーブトラックのウォブルのみでランドアドレスも記録することができるので、既存のＢＤフォーマットのマスタリング装置を大幅に変更しないで、アドレスを記録することができる。
【００４５】
＜３．第２の実施の形態＞
「ＡＤＩＰユニットの構成」
上述した第１の実施の形態において、ランドトラック例えばランドトラックＴｒｋ（ｎ＋１）をビームスポットが走査した場合に、当該ランドトラックのアドレスは、ＡＤＩＰ１の区間で取得でき、次のＡＤＩＰ２の区間は、異なるアドレス情報が一緒に再生されるので、エラー訂正によってエラーデータとされる。次のランドトラックＴｒｋ（ｎ＋３）をビームスポットが走査した場合に、当該ランドトラックのアドレスは、ＡＤＩＰ２の区間で取得でき、前のＡＤＩＰ１の区間は、エラーデータとされる。
【００４６】
しかしながら、デトラックなどの原因で、無効アドレス部分において、一方の隣接グルーブトラックのアドレスがエラー訂正され、有効なアドレスと扱われる可能性がある。この場合では、二つのアドレスが有効とされ、どちらのアドレスが有効か判定できなくなる。本開示の第２の実施の形態では、かかる問題を解決するものである。
【００４７】
第２の実施の形態では、グルーブアドレスおよびランドアドレスをＭＳＫによって記録し、ＢＤフォーマットに導入されているＳＴＷをランドアドレスの有効性を判定するために使用することによって、上述した問題点を解決するものである。
【００４８】
ＢＤフォーマットにおけるＡＤＩＰユニットとしては、図２に示すように、８種類存在している。本開示の第２の実施の形態では、図８に示すように、１２種類のＡＤＩＰユニットの種類を規定する。図２および図８を比較すると分かるように、モノトーンユニット、リファレンスユニット、シンク０ユニット〜シンク３ユニットは、ＢＤフォーマットと同様である。グルーブアドレスのＭＳＫ部に関しては、データユニットがＢＤフォーマットと同様である。グルーブアドレスのデータユニット中のＳＴＷ部分には、ＳＴＷの代わりに無変調の基本波形（モノトーン）が配置される。
【００４９】
ランドアドレスを表すＭＳＫは、グルーブおよびＢＤフォーマット同様である。データ０ユニットであっても、ウォブル番号１８〜５５に配置されるＳＴＷが相違する２種類のＡＤＩＰユニットが規定される。同様に、データ１ユニットであっても、ウォブル番号１８〜５５に配置されるＳＴＷが相違する２種類のＡＤＩＰユニットが規定される。ＡＤＩＰワードは、ＢＤフォーマットと同様のデータ構造を有する。
【００５０】
すなわち、一つのＡＤＩＰワードには、８３（ユニットナンバー０−８２）のＡＤＩＰユニットが含まれている。一つのＡＤＩＰワード中には、アドレス情報等のデータは、８３ＡＤＩＰユニット中の例えば６０ＡＤＩＰユニットを使用して表されている。したがって、６０ＡＤＩＰユニットのＳＴＷのデータを持つことができる。このＳＴＷを全てランドアドレスの有効性の判定に使用する。
【００５１】
一例として、アドレスで表現されたランドトラックのトラック番号を８で割った余りが１または３の場合には、ＳＴＷが１とされ、余りが５または７の場合には、ＳＴＷが０とされる。なお、グルーブアドレスの場合では、ＳＴＷが付加されず、モノトーンが付加される。このようにすると、有効なランドアドレスでは、隣接する二つのグルーブに記録されているランドアドレスのＳＴＷの値が同じになる。一方、無効なランドアドレスでは、隣接する二つのグルーブに記録されているランドアドレスのＳＴＷの値が異なり、ランドトラックを走査中のＳＴＷの振幅が小さいものとなる。
【００５２】
図９は、グルーブアドレスおよびランドアドレスに関するより具体的な例を示す。グルーブアドレスでは、データ部分の後にモノトーンが付加されている。ランドアドレスでは、データの後にＳＴＷが付加されており、有効なランドアドレスを構成するランドアドレスの対（図９において破線で囲んで示す）には、同一のデータを表すＳＴＷが付加されている。
【００５３】
再生時にＡＤＩＰワード内で、リファレンスユニット（１５個）を積分した結果と、ＳＴＷ（６０個）を積分した結果を使用してアドレスの有効性を判断する。ＳＴＷ振幅は、積分区間が長いほど、信頼性を高くすることができる。本開示の第２の実施の形態では、ＡＤＩＰワード中のリファレンスユニットの積分結果と、データユニットの積分結果を全て有効なランドアドレスか否かの判定に使用できるので、ディフェクト等があっても問題なく判定を行うことができる。
【００５４】
「ディスク再生装置」
本開示の第２の実施の形態によるディスク再生装置について、アドレスの再生を主に説明する。図１０に示すように、グルーブアドレスおよびランドアドレスが記録されている光ディスク１に対してデータが記録され、光ディスク１からデータが再生される。
【００５５】
光ディスク１がスピンドルモータ２によって角速度一定で回転される。すなわち、光ディスク１がＣＡＶ方式で回転される。ゾーンＣＡＶ方式を使用しても良い。光学ヘッド３に対してレーザ駆動部４からの駆動信号が供給され、記録データ５に応じて強度が変調されたレーザビームが光学ヘッド３から光ディスク１に対して照射され、再生されたアドレス情報に基づいて決定された光ディスク１の所定の位置にデータが記録される。
【００５６】
光ディスク１に対して光学ヘッド３からの読み取りレーザビームが照射され、その反射光が光学ヘッド３内のフォトディテクタによって検出され、信号検出部６によって再生信号が検出される。信号検出部６からは、再生信号７、フォーカスエラー信号、トラッキングエラー信号等のサーボエラー信号８、並びにウォブル信号９が取り出される。ウォブル信号９は、トラック方向で光検出素子が２分割された検出器の出力信号である。例えば二つの検出器の和の信号がウォブル信号９として取り出される。ウォブル信号９は、ウォブル波形に応じたものとなる。トラックの両側のウォブルが同一位相の場合に、ウォブル信号９のレベルが最大となり、両側のウォブルが逆位相の場合に、ウォブル信号９のレベルが最小となる。
【００５７】
エラー信号８がサーボ回路１０に供給される。サーボ回路１０によってスピンドルモータ２の回転が角速度一定に制御され、光学ヘッド３のフォーカスおよびトラッキングが制御される。
【００５８】
信号検出部６により検出されたウォブル信号９がＡ／Ｄコンバータ１１に供給され、Ａ／Ｄコンバータ１１によってデジタル信号に変換される。Ａ／Ｄコンバータ１１の出力信号がデジタルＰＬＬ（Ｐｈａｓｅ  Ｌｏｃｋｅｄ  Ｌｏｏｐ）１２および演算器１５に供給される。ＰＬＬ１２から再生信号と同期したクロックが出力される。クロックが再生時の処理のタイミングの基準とされる。演算器１５に対してＰＬＬ１２からクロックが供給される。
【００５９】
ウォブル信号９のデジタル出力がＡＤＩＰデコーダ１３に供給される。ＡＤＩＰデコーダ１３は、ＡＤＩＰワード毎にＭＳＫとして記録されているアドレスデータ等を復号し、エラー訂正を行う。ＡＤＩＰデコーダ１３により復号されたアドレスデータが有効性判定部１４に供給される。グルーブトラックを走査している場合には、グルーブアドレス情報が出力として取り出される。ランドアドレスを走査している場合には、二つのランドアドレスは、一時的に保持され、有効性判定部１４によって有効と判断されたランドアドレスのみが出力される。
【００６０】
演算器１５において、上述したように、周波数が基本波の２倍の周波数のｓｉｎ信号（ｓｉｎ（２π２ｆｔ））が再生されたウォブル信号（ＳＴＷ）に乗じられる。すなわち、Ｓ３＝Ｓ１×ｓｉｎ（２π２ｆｔ）、または、Ｓ４＝Ｓ２×ｓｉｎ（２π２ｆｔ）が得られる。演算器１５の出力信号が積分器１６に供給され、積分器１６において１ウォブル周期内での積分がなされる。１ウォブル周期内での積分結果は、＋１または−１である。
【００６１】
本開示の第２の実施の形態では、ＳＴＷは、リファレンスユニットとランドアドレスのデータユニットとに含まれている。一つのＡＤＩＰには、１５個のリファレンスユニットと、６０個のデータユニットのＳＴＷとが含まれている。積分器１６からのリファレンスユニットの積分結果が加算器１７に供給され、加算器１７において１５個のリファレンスユニットに対応する積分結果が加算される。同様に、積分器１６からのデータユニットのＳＴＷの積分結果が加算器１８に供給され、加算器１８において６０個のリファレンスユニットに対応する積分結果が加算される。
【００６２】
加算器１７からのリファレンスユニットの一つのＡＤＩＰワードの区間の積分結果と、データユニットのＡＤＩＰワードの区間の積分結果とが有効性判定部１４に供給される。有効性判定部１４は、これらの積分結果を使用して有効なランドアドレスか否かの判定を行う。
【００６３】
「ランドアドレスの有効性の判断の第１の方法」
図１１を参照してランドアドレスの有効性の判断の第１の方法について説明する。ランドトラックを走査している場合に、３個のＡＤＩＰワードのデコードが終了したかどうかがステップＳ１において判定される。
【００６４】
ステップＳ１において、３個のＡＤＩＰワードのデコードが終了したと判定されると、ステップＳ２において有効性の判定がなされる。リファレンス部のＳＴＷ振幅の積分値を１５で割ってリファレンスＳＴＷ平均値が計算され、データ部のＳＴＷ振幅の積分値を６０で割ってデータＳＴＷ平均値が計算される。リファレンスＳＴＷ平均値とデータＳＴＷ平均値が、絶対値を取ったうえで比較される。データ部のＳＴＷ振幅は、（−１）の場合もあるので、絶対値で比較される。
【００６５】
ランドアドレスを走査した場合に再生される３個のＡＤＩＰワードは、図９からも分かるように、下記のものである。
グルーブアドレス：リファレンスＳＴＷ平均値が略１となり、モノトーンが付加されているので、データＳＴＷ平均値が略０となる。これらの値は、実際には、ノイズ等の影響で丁度０または１とならないことが多いので、「略」としている。
有効ランドアドレス：リファレンスＳＴＷ平均値が略１となり、ＳＴＷが同相であるので、データＳＴＷ平均値が略１となる。
無効ランドアドレス：リファレンスＳＴＷ平均値が略１となり、ＳＴＷが逆相であるので、データＳＴＷ平均値が略０または小さな値となる。
【００６６】
したがって、ステップＳ２においては、リファレンスＳＴＷ平均値とデータＳＴＷ平均値とが比較され、リファレンスＳＴＷ平均値に最も近いデータＳＴＷ平均値を有するアドレスが有効ランドアドレスとして判定される。
【００６７】
「ランドアドレスの有効性の判断の第２の方法」
図１２を参照してランドアドレスの有効性の判断の第２の方法について説明する。ランドトラックを走査している場合に、３個のＡＤＩＰワードのデコードが終了したかどうかがステップＳ１１において判定される。
【００６８】
ステップＳ１１において、３個のＡＤＩＰワードのデコードが終了したと判定されると、ステップＳ１２において有効性の判定がなされる。ステップＳ１２においては、データＳＴＷ平均値が最も大きなランドアドレスを有効ランドアドレスと判定する。上述したように、グルーブアドレスおよび無効ランドアドレスの場合では、データＳＴＷ平均値が小となる。
【００６９】
「ランドアドレスの有効性の判断の第３の方法」
図１３を参照してランドアドレスの有効性の判断の第３の方法について説明する。ランドトラックを走査している場合に、３個のＡＤＩＰワードのデコードが終了したかどうかがステップＳ２１において判定される。
【００７０】
ステップＳ２１において、３個のＡＤＩＰワードのデコードが終了したと判定されると、ステップＳ２２において、データＳＴＷ平均値が閾値と比較される。すなわち、データＳＴＷ平均値が閾値を超えたかどうかが判定される。データＳＴＷ平均値が閾値を超えると、ステップＳ２３において、有効ランドアドレスと確定する。閾値は、アドレスの有効性を判定するのに適切な値に設定される。例えばリファレンスＳＴＷ平均値を使用して閾値を生成しても良い。
【００７１】
上述したランドアドレスの有効性の判定方法は、ランドトラックのデータ部が同相のＳＴＷによって挟まれているか、逆相のＳＴＷによって挟まれているかを識別することによって有効なランドアドレスを再生することができる。すなわち、エラー訂正の結果に依存しないで、正しいランドアドレスを判別することができる。
【００７２】
＜４．変形例＞
以上、本開示の実施の形態について具体的に説明したが、上述の各実施の形態に限定されるものではなく、本開示の技術的思想に基づく各種の変形が可能である。例えば、上述の実施の形態において挙げた構成、方法、工程、形状、材料および数値などはあくまでも例に過ぎず、必要に応じてこれと異なる構成、方法、工程、形状、材料および数値などを用いても良い。
【００７３】
なお、本開示は、以下のような構成も取ることができる。
（１）
ＣＡＶまたはゾーンＣＡＶの光情報記録媒体であって、
連続的にウォブルするグルーブが予め形成され、前記グルーブおよび前記グルーブに隣接するランドに情報を記録するようになされ、
グルーブアドレス情報によって変調される第１のウォブル部分と、隣接する一方のランドのアドレス情報によって変調される第２のウォブル部分と、隣接する他方のランドのアドレス情報によって変調される第３のウォブル部分とを前記グルーブが有し、
隣接する二つのグルーブの前記第２のウォブル部分によって挟まれる第１の区間と、隣接する二つのグルーブの前記第３のウォブル部分によって挟まれる第２の区間とがランド上に形成され、
前記第１の区間の両側のウォブルの位相と、前記第２の区間の両側のウォブルの位相との一方が略同相である光情報記録媒体。
（２）
前記第１のウォブル部分と前記第２のウォブル部分と前記第３のウォブル部分とがトラック方向で異なる位置に形成される（１）に記載の光情報記録媒体。
（３）
ＣＡＶまたはゾーンＣＡＶの光情報記録媒体であって、
連続的にウォブルするグルーブが予め形成され、前記グルーブおよび前記グルーブに隣接するランドに情報を記録するようになされ、
グルーブアドレス情報によって変調される第１のウォブル部分と、隣接する一方のランドのアドレス情報によって変調される第２のウォブル部分と、隣接する他方のランドのアドレス情報によって変調される第３のウォブル部分とを前記グルーブが有し、
隣接する二つのグルーブの前記第２のウォブル部分によって挟まれる第１の区間と、隣接する二つのグルーブの前記第３のウォブル部分によって挟まれる第２の区間とがランド上に形成され、
前記第１の区間の両側のウォブルの位相と、前記第２の区間の両側のウォブルの位相との一方が略同相である光情報記録媒体を光学的に再生し、
ランドを走査する時に、前記ウォブルの位相が略同相である前記第１の区間および前記第２の区間の一方から前記ランドのアドレス情報を再生する光情報記録媒体再生装置。
（４）
前記第１の区間で再生されるアドレス情報と前記第２の区間で再生されるアドレス情報との一方を有効と判定するための判別用信号が前記第２のウォブル部分および前記第３のウォブル部分にそれぞれ付加される（３）に記載の光情報記録媒体再生装置。
（５）
前記判別用信号は、基本波形に対してデータに応じて極性の異なる高調波信号を付加した波形の信号である（３）（４）の何れかに記載の光情報記録媒体再生装置。
（６）
前記光情報記録媒体のトラック方向に対して少なくとも２分割され、前記光情報記録媒体からの戻り光を検出する検出器を有し、前記検出器のトラック方向に対する両側の受光部の出力によって前記第１のウォブル部分および前記第２のウォブル部分を再生する（３）（４）（５）の何れかに記載の光情報記録媒体再生装置。
（７）
前記アドレス情報によってＭＳＫ方式で基本波形が変調される（３）（４）（５）（６）の何れかに記載の光情報記録媒体再生装置。
【符号の説明】
【００７４】
１・・・光ディスク
２・・・スピンドルモータ
３・・・光学ヘッド
１２・・・ＰＬＬ
１３・・・ＡＤＩＰデコーダ
１４・・・有効性判定部
１６・・・積分器
【図１】
2013179745.tif 000003
【図２】
2013179745.tif 000004
【図３】
2013179745.tif 000005
【図４】
2013179745.tif 000006
【図５】
2013179745.tif 000007
【図６】
2013179745.tif 000008
【図７】
2013179745.tif 000009
【図８】
2013179745.tif 000010
【図９】
2013179745.tif 000011
【図１０】
2013179745.tif 000012
【図１１】
2013179745.tif 000013
【図１２】
2013179745.tif 000014
【図１３】
2013179745.tif 000015
【国際調査報告】
2013179745.tif 000016
2013179745.tif 000017